(57)【要約】【課題】撮像素子の光電変換面側に所定の間隔を持って配設された防塵用光学部材に振動を与える加振用部材を備えて、簡単な構成で防塵用光学部材の振動の減衰を抑え安定した振動を確保し得る撮像素子ユニット及びカメラを提供することである。【解決手段】画像信号を得る撮像素子２７と、撮像素子を保持する保持手段と、撮像素子の前面側に所定の間隔を持って対向配設される防塵フィルター２１と、防塵フィルターの周端部に配設され防塵フィルターに振動を与える加振用部材２２と、保持手段に固定されて防塵部材の周縁部位乃至その近傍部位で当該防塵フィルターを支持する受け部材２３と、を具備している。【選択図】  図４
2008017522.tif 000002
【特許請求の範囲】
【請求項１】
光電変換面上に照射された光に対応した画像信号を得る撮像素子と、
上記撮像素子を保持する保持手段と、
透明な板状の形状に形成され、上記撮像素子の前面側に所定の間隔を持って対向配設され、当該透明な板状の表面と当該透明な板状の端部全周とが振動可能に固定された防塵用光学部材と、
上記保持手段に固定され、上記防塵用光学部材の周縁部位乃至その近傍部位で当該防塵用光学部材を支持する光学部材受け部材と、
上記防塵用光学部材と上記光学部材受け部材との間に配置され、当該光学部材受け部材の端部で当該防塵用光学部材の振動の減衰を抑える軟性部材と、
上記防塵用光学部材の周端部に配設され、当該防塵用光学部材に振動を与えるための加振用部材と、
上記防塵用光学部材を上記軟性部材に押圧する押圧部材と、
を備えたことを特徴とする撮像素子ユニット。
【請求項２】
上記押圧部材は、上記光学部材受け部材の端部に基端部が固定され、その自由端部が上記防塵用光学部材の周縁部に当接し、当該防塵用光学部材の端部が全周にわたって開放された状態で当該防塵用光学部材を押圧することを特徴とする請求項１に記載の撮像素子ユニット。
【請求項３】
上記軟性部材は、上記防塵用光学部材受け部材の全周にわたって当接していることを特徴とする請求項１に記載の撮像素子ユニット。
【請求項４】
上記加振用部材は、上記防塵用光学部材の周縁部に配置され、上記軟性部材は上記加振用部材と上記光学部材受け部材との間において全周にわたって当接して配置されていることを特徴とする請求項１に記載の撮像素子ユニット。
【請求項５】
光電変換面上に照射された光に対応した画像信号を得る撮像素子と、
上記撮像素子を保持する保持手段と、
透明な板状の形状に形成され、上記撮像素子の前面側に所定の間隔を持って対向配設され、当該透明な板状の表面と当該透明な板状の端部全周とが振動可能に固定された防塵用光学部材と、
上記保持手段に固定され、上記防塵用光学部材の周縁部位乃至その近傍部位で当該防塵用光学部材を支持する光学部材受け部材と、
上記防塵用光学部材と上記光学部材受け部材との間に配置され、当該光学部材受け部材の端部で当該防塵用光学部材の振動の減衰を抑える軟性部材と、
上記防塵用光学部材の周端部に配設され、当該防塵用光学部材に振動を与えるための加振用部材と、
上記防塵用光学部材を上記軟性部材に押圧する押圧部材と、
を備えたことを特徴とするカメラ。
【請求項６】
上記押圧部材は、上記光学部材受け部材の端部に基端部が固定され、その自由端部が上記防塵用光学部材の周縁部に当接し、当該防塵用光学部材の端部が全周にわたって開放された状態で当該防塵用光学部材を押圧することを特徴とする請求項５に記載のカメラ。
【請求項７】
上記軟性部材は、上記光学部材受け部材の全周にわたって当接していることを特徴とする請求項５に記載のカメラ
【請求項８】
上記加振用部材は、上記防塵用光学部材の周縁部に配置され、上記軟性部材は上記加振用部材と上記光学部材受け部材との間において全周にわたって当接して配置されていることを特徴とする請求５に記載のカメラ。
【発明の詳細な説明】
【技術分野】
【０００１】
この発明は、自己の光電変換面上に照射された光に対応した画像信号を得る撮像素子を有する撮像素子ユニット及びカメラに係り、より詳細には撮像素子の防塵構造を備えた撮像ユニット及びカメラに関するものである。
【背景技術】
【０００２】
近年、撮影光学系（撮影レンズともいう）を透過した被写体からの光束（以下、被写体光束という）に基づいて形成される被写体像を所定の位置に配置した固体撮像素子等、例えば電荷結合素子（ＣＣＤ；Ｃharge Ｃoupled Ｄevice。以下、単に撮像素子という）等の光電変換面上に結像させ、当該撮像素子等の光電変換作用を利用して所望の被写体像を表わす電気的な画像信号等を生成し、この画像信号等に基づく信号を、例えば液晶表示装置（ＬＣＤ；Ｌiquid Ｃrystal Ｄisplay）等の所定の表示装置等へと出力して画像等を表示させたり、撮像素子等によって生成した画像信号等を所定の形態の画像データとして所定の記録媒体の所定の記録領域に記録し、さらにこの記録媒体に記録された画像データを読み出して、その画像データに対して表示装置を用いて表示するのに最適な画像信号となるように変換処理した後、処理済の画像信号に基づいて、これに対応する画像を表示させ得るように構成した、いわゆるデジタルスチルカメラやデジタルビデオカメラ等のデジタルカメラ等（以下、デジタルカメラ又は単にカメラという）が、一般的に実用化され広く普及している。
【０００３】
また、一般的なデジタルカメラにおいては、撮影動作に先立って撮影対象となる所望の被写体を観察し、当該被写体を含む撮影範囲を設定する等の目的で、光学的ファインダー装置を備えているのが一般である。
【０００４】
この光学ファインダー装置としては、撮影光学系の光軸上に配設した反射部材等を用いて撮影光学系を透過した被写体光束の進行方向を折り曲げて観察用の被写体像を所定の位置に結像させる一方、撮影動作時には、撮影光学系の光軸上から反射部材を退避させることにより、被写体光束を撮像素子の受光面、即ち光電変換面へと導き、当該光電変換面上に撮影用の被写体像を形成させるように構成したいわゆる一眼レフレックス方式のファインダー装置等が一般的に利用されている。
【０００５】
そして、近年においては、一眼レフレックス方式のファインダー装置を具備すると共に、カメラ本体に対して撮影光学系を着脱自在となるように構成し、使用者が所望するときに所望の撮影光学系を任意に着脱し交換することで、単一のカメラ本体において複数種類の撮影光学系を選択的に使用し得るように構成したいわゆるレンズ交換可能な形態のデジタルカメラが一般に実用化されつつある。
【０００６】
このようなレンズ交換可能な形態のデジタルカメラにおいては、当該撮影光学系をカメラ本体から取り外した際に、カメラ本体の内部に空気中に浮遊する塵埃等が侵入する可能性がある。また、カメラ本体内部には、例えばシャッター・絞り機構等、機械的に動作する各種の機構が配設されていることから、これら各種の機構等からは、その動作中に塵埃等が発生する場合もある。
【０００７】
一方、撮影光学系をカメラ本体から取り外した際には、当該撮影光学系の後方に配置される撮像素子の受光面（光電変換面とも言う）がカメラ内部の外気に露呈されることになることから、塵埃等が帯電作用等の要因によって撮像素子の光電変換面に付着することがある。
【０００８】
そこで、従来の一眼レフレックス方式のデジタルカメラ等においては、帯電作用等に起因して撮像素子の受光面上に塵埃等が付着するのを抑制するための技術が、例えば特開２０００−２９１３２号公報等によって提案されている。
【０００９】
上記特開２０００−２９１３２号公報に開示されている手段は、レンズ交換可能な形態の一眼レフレックス方式のデジタルカメラにおいて、カメラ内部に設けられる撮像素子の受光面を覆うカバー部材の表面に透明電極を設け、この電極に対して直流電圧若しくは数ｋＨｚ〜２０ｋＨｚ程度の周波数の交流電圧を印加することによって、帯電作用によって撮像素子の受光面上に塵埃等が付着するのを抑制するようにしたものである。
【００１０】
当該公報に開示されている手段によれば、撮像素子に生起する電荷を中和することによって静電気等に起因して撮像素子の受光面に塵埃等が付着するのを抑制することができるというものである。
【００１１】
他方、従来のデジタルカメラにおける撮像素子としては、いわゆるパッケイジに封じられた形態の撮像素子（例えばパッケイジＣＣＤという）が広く用いられているが、このような形態の撮像素子とは別に、近年においては、いわゆるベアチップＣＣＤと呼ばれる裸の状態のＣＣＤチップを市場に供給することが提案されている。
【００１２】
このようなベアチップＣＣＤにおいては、その光電変換面上に塵埃等が付着する可能性が多くなることから、ベアチップＣＣＤとこれを載置する基板との間に圧電素子を設け、この圧電素子に対して所定の電圧を印加することによって当該ベアチップＣＣＤ自体を振動させ、これにより光電変換面上に付着した塵埃等を振り落とすようにする手段についての提案が、例えば特開平９−１３０６５４号公報等によって開示されている。
【特許文献１】特開２０００−２９１３２号公報
【特許文献２】特開平９−１３０６５４号公報
【発明の開示】
【発明が解決しようとする課題】
【００１３】
ところが、上述の特開２０００−２９１３２号公報に開示されている手段では、帯電した撮像素子の電荷を中和させることで塵等が付着するのを抑制するようにしていることから、例えば静電気に因らずに撮像素子の光電変換面上に単に付着したり堆積した状態の塵埃等を除去する手段としては、最適なものではないと考えられる。
【００１４】
また、上述の特開平９−１３０６５４号公報に開示されている手段では、ベアチップＣＣＤを念頭に入れて考案されている手段であるために、従来のデジタルカメラにおいて一般的に利用されているパッケイジＣＣＤのような形態の撮像素子に対して適用するためには、最適な手段であるとは言えない。
【００１５】
つまり、一般的な形態のパッケイジＣＣＤ等に対して上述の特開平９−１３０６５４号公報に開示されている手段を適用した場合には、例えば撮像素子自体又はそのパッケイジに対して振動を加えることになるので、この加振作用によって撮像素子及びその近傍に配設される各種の機構に対して、例えば機構的な劣化や狂い等の悪影響が波及する虞がある。
【００１６】
一方、本出願人は、先に特願２０００−４０１２９１号において、撮像素子の光電変換面の側を封止乃至保護する防塵部材を備えることで、当該撮像素子の光電変換面に塵埃等が付着するのを抑制すると共に、防塵部材の外面側に付着する塵埃等に対しては、所定の加振用部材によって防塵部材に所定の振幅の振動を与えることによって、これを除去する手段を提案している。
【００１７】
この手段によれば、小型でかつ簡単な機構によって撮像素子の光電変換面に塵埃等が付着するのを抑制すると共に、防塵部材の外面側に付着する塵埃等を容易に除去し得るレンズ交換可能な形態のデジタルカメラを構成することができるというものである。
【００１８】
本発明は、上述した点に鑑みてなされたものであって、その目的とするところは、撮像素子の光電変換面に塵埃等が付着することを抑制するための防塵用光学部材を備えた撮像素子ユニット及びカメラにおいて、防塵用光学部材の振動の減衰を抑え、当該防塵用光学部材の安定した振動を確保して、その表面に付着する塵埃等を容易にかつ確実に除去し得るようにした撮像素子ユニット及びカメラを提供することである。
【課題を解決するための手段】
【００１９】
上記目的を達成するために本発明の一態様による撮像素子ユニットは、光電変換面上に照射された光に対応した画像信号を得る撮像素子と、
上記撮像素子を保持する保持手段と、
透明な板状の形状に形成され、上記撮像素子の前面側に所定の間隔を持って対向配設され、当該透明な板状の表面と当該透明な板状の端部全周とが振動可能に固定された防塵用光学部材と、
上記保持手段に固定され、上記防塵用光学部材の周縁部位乃至その近傍部位で当該防塵用光学部材を支持する光学部材受け部材と、
上記防塵用光学部材と上記光学部材受け部材との間に配置され、当該光学部材受け部材の端部で当該防塵用光学部材の振動の減衰を抑える軟性部材と、
上記防塵用光学部材の周端部に配設され、当該防塵用光学部材に振動を与えるための加振用部材と、
上記防塵用光学部材を上記軟性部材に押圧する押圧部材と、
を備えている。
【００２０】
また、本発明の一態様によるカメラは、光電変換面上に照射された光に対応した画像信号を得る撮像素子と、
上記撮像素子を保持する保持手段と、
透明な板状の形状に形成され、上記撮像素子の前面側に所定の間隔を持って対向配設され、当該透明な板状の表面と当該透明な板状の端部全周とが振動可能に固定された防塵用光学部材と、
上記保持手段に固定され、上記防塵用光学部材の周縁部位乃至その近傍部位で当該防塵用光学部材を支持する光学部材受け部材と、
上記防塵用光学部材と上記光学部材受け部材との間に配置され、当該光学部材受け部材の端部で当該防塵用光学部材の振動の減衰を抑える軟性部材と、
上記防塵用光学部材の周端部に配設され、当該防塵用光学部材に振動を与えるための加振用部材と、
上記防塵用光学部材を上記軟性部材に押圧する押圧部材と、
を備えている。
【発明の効果】
【００２１】
本発明によれば、防塵用光学部材の透明な板状の表面と端部全周とを振動可能に固定するとともに、防塵用光学部材と光学部材受け部材との間に軟性部材を設けたので、当該防塵用光学部材の振動の減衰を抑え、当該防塵用光学部材の安定した振動を確保して、その表面に付着する塵埃等を容易かつ確実に除去することができる。
【発明を実施するための最良の形態】
【００２２】
以下、図面を参照して本発明の実施の形態を説明する。 
【実施例１】
【００２３】
まず、本発明の第１の実施形態のカメラについて、その概略的な構成を以下に説明する。
【００２４】
図１・図２は、本発明の第１の実施形態のカメラの概略的な構成を示す図であって、図１は、本カメラの一部を切断して、その内部構成を概略的に示す斜視図であり、図２は、本カメラの主に電気的な構成を概略的に示すブロック構成図である。
【００２５】
本実施形態のカメラ１は、それぞれが別体に構成されるカメラ本体部１１及びレンズ鏡筒１２とからなり、両者（１１・１２）は、互いに着脱自在に構成されてなるものである。
【００２６】
レンズ鏡筒１２は、複数のレンズやその駆動機構等からなる撮影光学系（撮影レンズ）１２ａを内部に保持して構成されている。この撮影光学系１２ａは、被写体からの光束を透過させることで当該被写光束により形成される被写体の像を所定の位置（後述する撮像素子２７の光電変換面上）に結像せしめるように、例えば複数の光学レンズ等によって構成されるものである。そして、このレンズ鏡筒１２は、カメラ本体部１１の前面に向けて突出するように配設されている。
【００２７】
なお、このレンズ鏡筒１２については、従来のカメラ等において一般的に利用されているものと同様のものが適用される。したがって、その詳細な構成についての説明は省略する。
【００２８】
カメラ本体部１１は、内部に各種の構成部材等を備えて構成され、かつ撮影光学系１２ａを保持するレンズ鏡筒１２を着脱自在となるように配設するための連結部材である撮影光学系装着部（撮影レンズ装着部）１１ａをその前面に備えて構成されてなるいわゆる一眼レフレックス方式のカメラである。
【００２９】
つまり、カメラ本体部１１の前面側の略中央部には、被写体光束を当該カメラ本体部１１の内部へと導き得る所定の口径を有する露光用開口が形成されており、この露光用開口の周縁部に撮影光学系装着部１１ａが形成されている。
【００３０】
カメラ本体部１１の外面側には、その前面に上述の撮影光学系装着部１１ａが配設されているほか、上面部や背面部等の所定の位置にカメラ本体部１１を動作させるための各種の操作部材、例えば撮影動作を開始せしめるための指示信号等を発生させるためのレリーズボタン１７等等が配設されている。これらの操作部材については、本発明とは直接関連しない部分であるので、図面の煩雑化を避けるために、レリーズボタン１７以外の操作部材については、その図示及び説明を省略する。
【００３１】
カメラ本体部１１の内部には、図１に示すように、各種の構成部材、例えば、撮影光学系１２ａによって形成される所望の被写体像を撮像素子２７（図２参照）の光電変換面上とは異なる所定の位置に形成させるべく設けられ、いわゆる観察光学系を構成するファインダー装置１３と、撮像素子２７の光電変換面への被写体光束の照射時間等を制御するシャッタ機構等を備えたシャッター部１４と、このシャッター部１４を含み撮影光学系１２ａを透過した被写体光束に基づいて形成される被写体像に対応した画像信号を得る撮像素子２７及びこの撮像素子２７の光電変換面の前面側の所定の位置に配設され当該光電変換面への塵埃等の付着を防ぐ光学部材であり防塵部材である防塵フイルター２１（詳細については後述する）等からなるアッセンブリである撮像素子ユニット（以下、単に撮像ユニットという）１５と、撮像素子２７により取得した画像信号に対して各種の信号処理を施す画像信号処理回路１６ａ（図２参照）等の電気回路を構成する各種の電気部材が実装される主回路基板１６を始めとした複数の回路基板（図１では主回路基板１６のみを図示している）等が、それぞれ所定の位置に配設されている。
【００３２】
ファインダー装置１３は、撮影光学系１２ａを透過した被写体光束の光軸を折り曲げて観察光学系の側へと導き得るように構成される反射鏡１３ｂと、この反射鏡１３ｂから出射する光束を受けて正立正像を形成するペンタプリズム１３ａと、このペンタプリズム１３ａにより形成される像を拡大して観察するのに最適な形態の像を結像させる接眼レンズ１３ｃ等によって構成されている。
【００３３】
反射鏡１３ｂは、撮影光学系１２ａの光軸から退避する位置と当該光軸上の所定の位置との間で移動自在に構成され、通常状態においては、撮影光学系１２ａの光軸上において当該光軸に対して所定の角度、例えば角度４５度を有して配置されている。これにより、撮影光学系１２ａを透過した被写体光束は、当該カメラ１が通常状態にあるときには、反射鏡１３ｂによってその光軸が折り曲げられて、当該反射鏡１３ｂの上方に配置されるペンタプリズム１３ａの側へと反射されるようになっている。
【００３４】
一方、本カメラ１が撮影動作の実行中において、その実際の露光動作中には、当該反射鏡１３ｂは、撮影光学系１２ａの光軸から退避する所定の位置に移動するようになっている。これによって、被写体光束は、撮像素子２７の側へと導かれ、その光電変換面を照射するようになっている。
【００３５】
シャッター部１４は、例えばフォーカルプレーン方式のシャッター機構や、このシャッター機構の動作を制御する駆動回路等、従来のカメラ等において一般的に利用されているものと同様のものが適用される。したがって、その詳細な構成についての説明は省略する。
【００３６】
また、本カメラ１の内部には、上述したように複数の回路基板が配設され、各種の電気回路を構成している。本カメラ１の電気的な構成は、図２に示すように、例えば本カメラ１の全体を統括的に制御する制御回路であるＣＰＵ４１と、撮像素子２７によって取得した画像信号に基づいて記録に適合する形態の信号に変換する信号処理等、各種の信号処理を施す画像信号処理回路１６ａと、この画像信号処理回路１６ａによって処理済みの画像信号や画像データ及びこれに付随する各種の情報等を一時的に記録するワークメモリ１６ｂと、この画像信号処理回路１６ａによって生成された所定の形態の記録用の画像データを所定の領域に記録する記録媒体４３と、この記録媒体４３と本カメラ１の電気回路とを電気的に接続すべく構成される記録媒体インターフェイス４２と、画像を表示するための液晶表示装置（ＬＣＤ）等からなる表示部４６と、この表示部４６と本カメラ１との間を電気的に接続し、画像信号処理回路１６ａによって処理済の画像信号を受けて表示部４６を用いて表示するのに最適な表示用の画像信号を生成する表示回路４７と、乾電池等の二次電池等からなる電池４５と、この電池４５又は所定の接続ケイブル等（図示せず）により供給される外部電源（ＡＣ）からの電力を受けて、本カメラ１を動作させるのに適するように制御し、各電気回路へと配電する電源回路４４と、撮像ユニット１５に含まれる防塵フイルター２１を駆動させるための電気回路であって発振器等からなる防塵フイルター駆動部４８等からなる。
【００３７】
次に、本実施形態のカメラ１における撮像ユニット１５の詳細について、以下に説明する。 
図３・図４・図５は、本実施形態のカメラ１における撮像ユニットの一部を取り出して示す図であって、図３は、当該撮像ユニットを分解して示す要部分解斜視図である。図４は、組み立てた状態の当該撮像ユニットの一部を切断して示す斜視図である。図５は、図４の切断面に沿う断面図である。
【００３８】
なお、本実施形態のカメラ１の撮像ユニット１５は、上述したようにシャッター部１４を含む複数の部材によって構成されるユニットであるが、図３から図５においては、その主要部を図示するに留め、シャッター部１４の図示は省略している。また、各構成部材の位置関係を示すために、図３〜図５においては、当該撮像ユニット１５の近傍に設けられ、撮像素子２７が実装されると共に、画像信号処理回路１６ａ及びワークメモリ１６ｂ等からなる撮像系の電気回路が実装される主回路基板１６を合わせて図示している。なお、この主回路基板１６、それ自体の詳細については、従来のカメラ等において一般的に利用されているものが適用されるものとして、その説明は省略する。
【００３９】
撮像ユニット１５は、ＣＣＤ等からなり撮影光学系１２ａを透過し自己の光電変換面上に照射された光に対応した画像信号を得る撮像素子２７と、この撮像素子２７を固定支持する薄板状の部材からなる撮像素子固定板２８と、撮像素子２７の光電変換面の側に配設され、撮影光学系１２ａを透過して照射される被写体光束から高周波成分を取り除くべく形成される光学素子である光学的ローパスフイルター（Ｌow Pass Filter；以下、光学ＬＰＦという）２５と、この光学ＬＰＦ２５と撮像素子２７との間の周縁部に配置され、略枠形状の弾性部材等によって形成されるローパスフイルター受け部材２６と、撮像素子２７を収納し固定保持すると共に光学ＬＰＦ２５をその周縁部位乃至その近傍部位に密着して支持しかつ所定の部位を後述する封止構造部の一部を構成する防塵フイルター受け部材２３に密に接触するように配設される撮像素子収納ケース部材２４（以下、ＣＣＤケース２４という）と、このＣＣＤケース２４の前面側に配置され防塵フイルター２１をその周縁部位乃至その近傍部位に密着して支持する防塵フイルター受け部材２３と、この防塵フイルター受け部材２３によって支持されて撮像素子２７の光電変換面の側であって光学ＬＰＦ２５の前面側において当該光学ＬＰＦ２５との間に所定の間隔を持つ所定の位置に対向配置される防塵部材である防塵フイルター２１と、この防塵フイルター２１の周縁部に配設され当該防塵フイルター２１に対して所定の振動を与えるための加振用部材であり例えば電気機械変換素子等からなる圧電素子２２と、防塵フイルター２１を防塵フイルター受け部材２３に対して気密的に接合させ固定保持する弾性体からなる押圧部材２０と、封止構造部の本体部である防塵フイルター受け部材２３と防塵フイルター２１（若しくは圧電素子２２）との間において防塵フイルター受け部材２３と防塵フイルター２１（若しくは圧電素子２２）とが接する部位に設けられるゴム等の軟性部材６１等によって構成されている。
【００４０】
撮像素子２７は、撮影光学系１２ａを透過した被写体光束を自己の光電変換面に受けて光電変換処理を行なうことによって、当該光電変換面に形成される被写体像に対応した画像信号を取得するものであって、例えば電荷結合素子（ＣＣＤ；Ｃharge Ｃoupled Ｄevice）が適用されている。
【００４１】
この撮像素子２７は、撮像素子固定板２８を介して主回路基板１６上の所定の位置に実装されている。この主回路基板１６には、上述したように画像信号処理回路１６ａ及びワークメモリ１６ｂ等が共に実装されており、撮像素子２７からの出力信号、即ち光電変換処理により得られた画像信号が画像信号処理回路１６ａ等へと電送されるようになっている。
【００４２】
この画像信号処理回路１６ａにおいてなされる信号処理としては、例えば撮影光学系装着部１１ａに装着されたレンズ鏡筒１２の内部に保持される撮影光学系１２ａによって撮像素子２７の光電変換面上に結像された像に対応するものとして当該撮像素子２７から得られた画像信号を記録に適合する形態の信号に変換する処理等、各種の信号処理である。このような信号処理は、電子的な画像信号を取り扱うように構成される一般的なデジタルカメラ等において通常になされる処理と同様である。したがって、当該カメラ１において実行される各種の信号処理についての詳細な説明は省略する。
【００４３】
撮像素子２７の前面側には、ローパスフイルター受け部材２６を挟んで光学ＬＰＦ２５が配設されている。そして、これを覆うようにＣＣＤケース２４が配設されている。
【００４４】
つまり、ＣＣＤケース２４には、略中央部分に矩形状からなる開口２４ｃが設けられており、この開口２４ｃには、その後方側から光学ＬＰＦ２５及び撮像素子２７が配設されるようになっている。この開口２４ｃの後方側の内周縁部には、図４・図５に示すように断面が略Ｌ字形状からなる段部２４ａが形成されている。
【００４５】
上述したように、光学ＬＰＦ２５と撮像素子２７との間には、弾性部材等からなるローパスフイルター受け部材２６が配設されている。このローパスフイルター受け部材２６は、撮像素子２７の前面側の周縁部においてその光電変換面の有効範囲を避ける位置に配設され、かつ光学ＬＰＦ２５の背面側の周縁部近傍に当接するようになっている。そして、光学ＬＰＦ２５と撮像素子２７との間を略気密性が保持されるようにしている。これにより、光学ＬＰＦ２５には、ローパスフイルター受け部材２６による光軸方向への弾性力が働くことになる。
【００４６】
そこで、光学ＬＰＦ２５の前面側の周縁部を、ＣＣＤケース２４の段部２４ａに対して略気密的に接触させるように配置することで、当該光学ＬＰＦ２５をその光軸方向に変位させようとするローパスフイルター受け部材２６による弾性力に抗して当該光学ＬＰＦ２５の光軸方向における位置を規制するようにしている。
【００４７】
換言すれば、ＣＣＤケース２４の開口２４ｃの内部に背面側より挿入された光学ＬＰＦ２５は、段部２４ａによって光軸方向における位置規制がなされている。これにより、当該光学ＬＰＦ２５は、ＣＣＤケース２４の内部から前面側へ向けて外部に抜け出ないようになっている。
【００４８】
このようにして、ＣＣＤケース２４の開口２４ｃの内部に背面側から光学ＬＰＦ２５が挿入された後、光学ＬＰＦ２５の背面側には、撮像素子２７が配設されるようになっている。この場合において、光学ＬＰＦ２５と撮像素子２７との間には、周縁部においてローパスフイルター受け部材２６が挟持されるようになっている。
【００４９】
また、撮像素子２７は、上述したように撮像素子固定板２８を挟んで主回路基板１６に実装されている。そして、撮像素子固定板２８は、ＣＣＤケース２４の背面側からネジ孔２４ｅに対してネジ２８ｂによってスペーサ２８ａを介して固定されている。また、撮像素子固定板２８には、主回路基板１６がスペーサ１６ｃを介してネジ１６ｄによって固定されている。
【００５０】
ＣＣＤケース２４の前面側には、防塵フイルター受け部材２３がＣＣＤケース２４のネジ孔２４ｂに対してネジ２３ｂによって固定されている。この場合において、ＣＣＤケース２４の周縁側であって前面側の所定の位置には、図４・図５において詳細に示すように、周溝２４ｄが略環状に形成されている。その一方で、防塵フイルター受け部材２３の周縁側であって背面側の所定の位置には、ＣＣＤケース２４の周溝２４ｄに対応させた環状凸部２３ｄ（図３には図示出来ず）が全周にわたって略環状に形成されている。したがって、環状凸部２３ｄと周溝２４ｄとが嵌合することによりＣＣＤケース２４と防塵フイルター受け部材２３とは、環状の領域、即ち周溝２４ｄと環状凸部２３ｄとが形成される領域において相互に略気密的に嵌合するようになっている。
【００５１】
防塵フイルター２１は、全体として円形乃至多角形の板状をなし、少なくとも自己の中心から放射方向に所定の広がりを持つ領域が透明部をなしており、この透明部が光学ＬＰＦ２５の前面側に所定の間隔を持って対向配置されているものである。
【００５２】
また、防塵フイルター２１の一方の面（本実施形態では背面側）の周縁部には、当該防塵フイルター２１に対して振動を与えるための所定の加振用部材であり電気機械変換素子等によって形成される圧電素子２２が一体となるように、例えば接着剤による貼着等の手段により配設されている。この圧電素子２２は、外部から所定の駆動電圧を印加することによって防塵フイルター２１に所定の振動を発生させることができるように構成されている。
【００５３】
そして、防塵フイルター２１は、防塵フイルター受け部材２３に対して気密的に接合するように板ばね等の弾性体からなる押圧部材２０によって固定保持されている。
【００５４】
防塵フイルター受け部材２３の略中央部近傍には、円形状又は多角形状からなる開口２３ｆが設けられている。この開口２３ｆは、撮影光学系１２ａを透過した被写体光束を通過させて、当該光束が後方に配置される撮像素子２７の光電変換面を照射するのに充分な大きさとなるように設定されている。
【００５５】
この開口２３ｆの周縁部には、前面側に突出する壁部２３ｅ（図４・図５参照）が略環状に形成されており、この壁部２３ｅの先端側には、防塵フイルター２１を受ける受け部２３ｃが形成されている。そして、この受け部２３ｃの先端部に、壁部２３ｅと同様の円環形状に形成された軟性部材６１が接着等の手段によって配設されている。
【００５６】
一方、防塵フイルター受け部材２３の前面側の外周縁部近傍には、所定の位置に複数（本実施形態では三箇所）の支柱部２３ａが前面側に向けて突出するように形成されている。この支柱部２３ａは、防塵フイルター２１を固定保持する押圧部材２０を固設するために形成される部位であって、当該押圧部材２０は、支柱部２３ａの先端部に対して固定ねじ２０ａ等の締結手段により固設されている。つまり、支柱部２３ａは、押圧部材２０を取り付けるための支持部材である。
【００５７】
押圧部材２０は、上述したように板ばね等の弾性体によって形成される部材であって、その基端部が支柱部２３ａに固定され、自由端部が防塵フイルター２１の外周縁部に当接することで、当該防塵フイルター２１を防塵フイルター受け部材２３の側、即ち光軸方向に向けて押圧するようになっている。
【００５８】
この場合において、防塵フイルター２１の背面側の外周縁部に配設される圧電素子２２の所定の部位が受け部２３ｃの先端に設けられる軟性部材６１に当接することで、防塵フイルター２１及び圧電素子２２の光軸方向における位置が規制されるようになっている。したがってこれにより、防塵フイルター２１は、圧電素子２２及び軟性部材６１を介して防塵フイルター受け部材２３に対して気密的に接合するように固定保持されている。このようにして固定保持された防塵フィルター２１は、図４及び図５に示すように、全周にわたってその端部が開放された状態となっている。
【００５９】
換言すれば、防塵フイルター受け部材２３は、押圧部材２０による弾性力によって防塵フイルター２１に対して圧電素子２２及び軟性部材６１を介して気密的に接合するように構成されている。
【００６０】
ところで、上述したように防塵フイルター受け部材２３とＣＣＤケース２４とは、周溝２４ｄと環状凸部２３ｄ（図４・図５参照）とが相互に略気密的に嵌合するようになっているのと同時に、防塵フイルター受け部材２３と防塵フイルター２１とは、押圧部材２０の弾性力により圧電素子２２及び軟性部材６１を介して気密的に接合するようになっている。また、ＣＣＤケース２４に配設される光学ＬＰＦ２５は、光学ＬＰＦ２５の前面側の周縁部とＣＣＤケース２４の段部２４ａとの間で略気密的となるように配設されている。さらに、光学ＬＰＦ２５の背面側には、撮像素子２７がローパスフイルター受け部材２６を介して配設されており、光学ＬＰＦ２５と撮像素子２７との間においても、略気密性が保持されるようになっている。
【００６１】
したがってこれにより、光学ＬＰＦ２５と防塵フイルター２１とが対向する間の空間には、所定の空隙部５１ａが形成されている。また、光学ＬＰＦ２５の周縁側、即ちＣＣＤケース２４と防塵フイルター受け部材２３と防塵フイルター２１とによって、空間部５１ｂが形成されている。この空間部５１ｂは、光学ＬＰＦ２５の外側に張り出すようにして形成されている封止された空間である（図４・図５参照）。また、この空間部５１ｂは、空隙部５１ａよりも広い空間となるように設定されている。そして、空隙部５１ａと空間部５１ｂとからなる空間は、上述した如くＣＣＤケース２４と防塵フイルター受け部材２３と防塵フイルター２１と光学ＬＰＦ２５とによって略気密的に封止される封止空間５１となっている。
【００６２】
このように、本実施形態のカメラにおける撮像ユニット１５では、撮像素子２７と防塵フイルター２１との両者が対向して形成される部位（空隙部５１ａ）と、光学ＬＰＦ２５及び防塵フイルター２１の周縁に略密閉された空間部５１ｂとからなる封止空間５１（空間部）を封止するように形成される封止構造部が構成されている。そして、この封止構造部は、光学ＬＰＦ２５の周縁乃至その近傍から外側の位置に設けられるようになっている。
【００６３】
つまり、本実施形態においては、防塵フイルター２１及び圧電素子２２と、この防塵フイルター２１（及び圧電素子２２）をその周縁部位乃至その近傍部位に密着して支持する防塵フイルター受け部材２３と、光学ＬＰＦ２５をその周縁部位乃至その近傍部位に密着して支持すると共に自己の所定部位で防塵フイルター受け部材２３と密に接触するように配設されるＣＣＤケース２４と、防塵フイルター２１（及び圧電素子２２）を防塵フイルター受け部材２３に押圧する押圧部材２０等によって封止構造部が構成されている。
【００６４】
上述のように構成された本実施形態のカメラにおいては、撮像素子２７の前面側の所定の位置に防塵フイルター２１を対向配置し、撮像素子２７の光電変換面と防塵フイルター２１との周縁に形成される封止空間５１を封止するように構成したことによって、撮像素子２７の光電変換面に塵埃等が付着するのを予防している。
【００６５】
そして、この場合において、防塵フイルター２１の前面側の露出面に付着する塵埃等は、当該防塵フイルター２１の周縁部に一体となるように配設される圧電素子２２に周期電圧を印加して防塵フイルター２１に対して所定の振動を与えることで除去することができるようになっている。
【００６６】
図６は、本カメラ１における撮像ユニット１５のうち防塵フイルター２１及びこれに一体に設けられる圧電素子２２のみを取り出して示す正面図である。また、図７・図８は、図６の圧電素子２２に対して駆動電圧を印加した際の防塵フイルター２１及び圧電素子２２の状態変化を示し、図７は図６のＡ−Ａ線に沿う断面図、図８は図６のＢ−Ｂ線に沿う断面図である。
【００６７】
ここで、例えば圧電素子２２に負（マイナス；−）電圧を印加した場合には、防塵フイルター２１は、図７・図８において実線で示すように変形する一方、圧電素子２２に正（プラス；＋）電圧を印加した場合には、防塵フイルター２１は、同図において点線で示すように変形することになる。
【００６８】
この場合において、図６〜図８の符号２１ａで示すような振動の節の位置では、実質的に振幅は零になることから、この節２１ａに対応する部位に防塵フイルター受け部材２３の受け部２３ｃを当接させるように設定する。これにより、振動を阻害することなく防塵フイルター２１を効率的に支持し得ることになる。
【００６９】
そして、この状態において、所定のときに防塵フイルター駆動部４８を制御して、圧電素子２２に対して周期的な電圧を印加することで防塵フイルター２１は振動し、当該防塵フイルター２１の表面に付着した塵埃等は除去される。
【００７０】
なお、このときの共振周波数は、防塵フイルター２１の形状や板厚・材質等により決まるものである。上述の図６〜図８に示す例では、１次の振動を発生させた場合を示しているが、これに限らず、高次の振動を発生させるようにしてもよい。
【００７１】
図９〜図１１に示す別の例示では、図６〜図８に示す例と全く同じ構成の防塵フイルターに対して２次振動を発生させた場合のようすを示している。
【００７２】
この場合において、図９は、図６と同様に本カメラ１における撮像ユニット１５のうち防塵フイルター２１及びこれに一体に設けられる圧電素子２２のみを取り出して示す正面図である。また、図１０・図１１は、図９の圧電素子２２に対して印加した際の防塵フイルター２１及び圧電素子２２の状態変化を示し、図１０は図９のＡ−Ａ線に沿う断面図、図１１は図９のＢ−Ｂ線に沿う断面図である。
【００７３】
ここで、例えば圧電素子２２に負（マイナス；−）電圧を印加した場合には、防塵フイルター２１は、図１０・図１１において実線で示すように変形する一方、圧電素子２２に正（プラス；＋）電圧を印加した場合には、防塵フイルター２１は、同図において点線で示すように変形することになる。
【００７４】
この場合においては、図９〜図１１に示す符号２１ａ・２１ｂようにこの振動では二対の節が存在することになるが、節２１ａに対応する部位に防塵フイルター受け部材２３の受け部２３ｃを当接させるように設定することで、上述の図６〜図８に示す例と同様に、振動を阻害することなく防塵フイルター２１を効率的に支持し得ることになる。
【００７５】
そして、この状態において、所定のときに防塵フイルター駆動部４８を制御して、圧電素子２２に対して周期的な電圧を印加することで防塵フイルター２１は振動し、当該防塵フイルター２１の表面に付着した塵埃等は除去される。
【００７６】
なお、図６〜図８に示すように１次の振動を発生させた場合には、防塵フイルター２１の振幅によって封止空間５１は、符号Ｃで示す分の容積変化が生じることになる。一方、図９〜図１１に示すように２次の振動を発生させた場合には、防塵フイルター２１の振幅によって生じる封止空間５１の容積変化は、符号Ｄ１で示す領域から符号Ｄ２で示す領域×２を差し引いた分（Ｄ１−（Ｄ２×２））となる。
【００７７】
封止空間５１に対する容積変化が少ないほど、封止空間５１の内部における内圧の変化は小さいことから、封止空間５１の容積変化は少ないほど効率的な振動を得ることができることがわかる。したがって、電気機械変換の効率の点では、発生させる振動は、高次となるように設定するのが望ましい。
【００７８】
なお、防塵フイルター受け部材２３の受け部２３ｃは、防塵フイルター２１の振動の節となる部位に当接するように設定するのが望ましい。この防塵フイルター２１の振動の節となる部位は、当該防塵フイルター２１の大きさ（厚さ寸法や直径等）又はこれを振動させる圧電素子２２の大きさ等によって、その位置が異なる。
【００７９】
したがって、本実施形態で示されるように、防塵フイルター受け部材２３の受け部２３ｃに設けられる軟性部材６１が電圧素子２２に当接する形態のほか、各種条件によっては、このような形態に限らず、例えば当該防塵フイルター２１の表面上の所定の位置に軟性部材６１が当接する場合もあり得る。
【００８０】
以上説明したように上記第１の実施形態によれば、光学ＬＰＦ２５と防塵フイルター２１（防塵部材）との両者が対向して形成される空隙部５１ａを含む略密閉された封止空間５１を構成すべく光学ＬＰＦ２５及び防塵フイルター２１の周縁側で空間部５１ｂを封止するようにした封止構造部を、光学ＬＰＦ２５の周縁乃至その近傍から外側に設けるように構成したので、空間部の一定の容積を確保するについて、光学ＬＰＦ２５と防塵フイルター２１（防塵部材）との間隔を短く設定することができる。
【００８１】
一般に、光学ＬＰＦ２５と防塵フイルター２１（防塵部材）との間隔を短く設定すると、空隙部５１ａの容積が少なくなることから圧電素子２２（加振用部材）によって防塵フイルター２１に振動を与える際に封止空間５１の内圧が高くなってしまうことは周知である。しかし、封止空間５１の内圧が高い場合には、圧電素子２２による防塵フイルター２１の振動を阻害してしまう傾向がある。
【００８２】
一方、封止空間５１の容積を確保するために光学ＬＰＦ２５と防塵フイルター２１（防塵部材）との間隔を長くなるように設定した場合には、撮像ユニット１５の光軸方向における寸法も大きくなってしまうことになり、カメラ１の光軸方向における小型化を阻害する要因になる。
【００８３】
そこで、本実施形態においては、光学ＬＰＦ２５の周縁乃至その近傍から外側に空間部５１ｂを設けることで、封止空間５１の充分な容積を確保して、圧電素子２２による防塵フイルター２１の振動を阻害することなく、撮像ユニット１５の光軸方向における寸法の長大化を抑えることができる。したがって、カメラ１の光軸方向における小型化に寄与することが容易にできる。
【００８４】
また、本実施形態においては、防塵フイルター受け部材２３（封止構造部の本体部）と防塵フイルター２１（若しくは圧電素子２２）との間において、両者が互いに接する接触部にゴム等の軟性部材６１等を配設して構成している。
【００８５】
したがって、このような構成とすることにより、圧電素子２２の作用によって防塵フイルター２１に振動が与えられたときに、当該防塵フイルター２１若しくは圧電素子２２と防塵フイルター受け部材２３（封止構造部の本体部）とが接する接触部において、当該防塵フイルター２１の振動が減衰するのを抑制することができる。
【００８６】
次に、本発明の第２の実施形態における撮像素子ユニットについて説明する。 
図１２・図１３は、本発明の第２の実施形態のカメラにおける撮像ユニットの一部を取り出して示す図であって、図１２は、当該撮像ユニットの構成部材のうち封止構造部の本体部（防塵フイルター受け部材）と防塵フイルター及び圧電素子とが組み立てられた状態であって、かつ一部を切断した状態を示す斜視図である。また、図１３は、図１２のＰ−Ｐ線に沿う断面図である。
【００８７】
本実施形態の構成は、基本的には上述の第１の実施形態と略同様の構成からなり、封止構造部の本体部である防塵フイルター受け部材２３Ａの形態が異なるのみである。したがって、上述の第１の実施形態と同様の構成については、同じ符号を附してその詳細な説明は省略する。また、カメラ全体の構成についての図示も省略し、上述の図１・図２を参照するものとする。
【００８８】
図１２・図１３に示すように、本実施形態における防塵フイルター受け部材２３Ａには、上述の第１の実施形態と同様に、その受け部２３ｃの先端部に円環形状の軟性部材６１が配設されており、この軟性部材６１が圧電素子２２に当接している。
【００８９】
そして、本実施形態における防塵フイルター受け部材２３Ａにおいては、壁部２３Ａｅの内周面上に、図１３に示すようにその断面が略Ｃ形状となる溝部２３Ａｍが全周にわたって形成されている。これにより受け部２３ｃは、図１３に示す矢印Ｘ方向への柔軟性を備えて形成されることになる。 
その他の構成については上述の第１の実施形態と全く同様である。
【００９０】
本実施形態の撮像ユニットにおいても、上述の第１の実施形態と同様に所定のときに圧電素子２２に所定の周期電圧を印加すると防塵フイルター２１が周期的な振動を行なうように構成されている。この場合における防塵フイルター２１の振動は、概念的には図１３に示す矢印Ｘ方向となる。
【００９１】
したがって、本実施形態においては、上述の第１の実施形態と同様に、防塵フイルター受け部材２３Ａ（封止構造部の本体部）と防塵フイルター２１（若しくは圧電素子２２）との間において、両者が互いに接触する部位（接触部）にはゴム等の軟性部材６１を配設し、これに加えてさらに、防塵フイルター受け部材２３Ａの壁部２３Ａｅの所定の位置に溝部２３Ａｍを形成したので、当該防塵フイルター受け部材２３Ａに対して防塵フイルター２１（若しくは圧電素子２２）を軟性状態で支持し、防塵フイルター２１（若しくは圧電素子２２）の図１３の矢印Ｘ方向への移動、即ち振動の減衰を抑止することができる。
【００９２】
次に、本発明の第３の実施形態における撮像素子ユニットについて説明する。 
図１４・図１５・図１６は、本発明の第３の実施形態を示し、図１４は、本実施形態のカメラにおける撮像ユニットを取り出して示す斜視図である。また、図１５は、図１４のＱ−Ｑ線に沿う断面図である。図１６は、当該撮像ユニットにおける封止構造部の本体部（防塵フイルター受け部材）と防塵部材（防塵フイルター）との接触部近傍を拡大して示す斜視図であって、同時にその断面をも示す図である。
【００９３】
本実施形態の構成も、基本的には上述の第１の実施形態と略同様の構成からなるものであるが、本実施形態においては、上述の第１の実施形態において適用される軟性部材６１を廃し、封止構造部の本体部である防塵フイルター受け部材２３Ｂ、それ自体によって上述の第１の実施形態における軟性部材６１の役目を担うように構成した点が異なるのみである。したがって、上述の第１の実施形態と同様の構成については、同じ符号を附してその詳細な説明は省略する。また、カメラ全体の構成についての図示も省略し、上述の図１・図２を参照するものとする。
【００９４】
本実施形態における封止構造部の本体部である防塵フイルター受け部材２３Ｂは、それ自体が例えば硬質ゴム等の軟性を有する軟性部材によって形成されている。これに伴って、本実施形態では、上述したように第１の実施形態において適用されている軟性部材６１を除去して構成されている。
【００９５】
そして、防塵フイルター受け部材２３Ｂの壁部２３ｅの先端部に形成される受け部２３ｃによって、防塵フイルター２１を圧電素子２２を介して軟性状態で支持するようになっている。
【００９６】
その他の構成については上述の第１の実施形態と全く同様である。 
したがって、本実施形態においては、上述の第１の実施形態における軟性部材６１を廃し、防塵フイルター受け部材２３Ｂ自体を軟性部材で形成するのみで、上述の第１の実施形態と全く同様の効果を得ることができる。したがって、部材点数を減少することができ、組立工程の簡略化及び製造コストの低減化に寄与することができる。
【００９７】
なお、防塵フイルター２１を軟性状態で支持するための手段としては、上述したような形態、即ち防塵フイルター受け部材２３Ｂ、それ自体を軟性部材で形成する形態のほか、例えば少なくとも防塵フイルター受け部材２３Ｂの壁部２３ｅ及び受け部２３ｃ近傍を軟性部材で形成するような形態とすることでも同様の効果を実現することができる。
【００９８】
次に、本発明の第４の実施形態における撮像素子ユニットについて説明する。 
図１７・図１８・図１９は、本発明の第４の実施形態における撮像素子ユニットの断面図であって、図１７は、当該撮像ユニットにおける圧電素子に電圧が印加されていない通常状態を示し、図１８は、当該撮像ユニットにおける圧電素子に正電圧又は負電圧のいずれかが印加された場合の状態を示し、図１９は、圧電素子に負電圧又は正電圧が印加された場合の状態を示している。
【００９９】
なお、図１７〜図１９の断面図は、上述の第３の実施形態の説明に用いた図１４におけるＱ−Ｑ線に沿う部位に相当する断面を示すものとする。
【０１００】
本実施形態の構成は、基本的には上述の第３の実施形態と略同様の構成からなるものであるが、本実施形態においては、封止構造部の本体部である防塵フイルター受け部材２３Ｄの構成が若干異なるのみである。したがって、上述の第１の実施形態と同様の構成については、同じ符号を附してその詳細な説明は省略する。また、カメラ全体の構成についての図示も省略し、上述の図１・図２を参照するものとする。
【０１０１】
本実施形態のカメラ（１）における撮像ユニット１５Ｄは、上述の各実施形態と同様に防塵フイルター２１と撮像素子２７との両者が対向して形成される部位に略密閉された空隙部５１ａを構成すべく撮像素子２７及び防塵フイルター２１の周縁側で所定の封止空間５１を封止するように構成された封止構造部を備えて構成されている。
【０１０２】
また、圧電素子２２に対して所定の周期電圧を与えることによって、振動フイルター２１を振動させるようになっている点も、上述の各実施形態と同様である。
【０１０３】
そして、本実施形態の撮像ユニット１５Ｄにおける防塵フイルター受け部材２３Ｄの押圧部材２０を取り付けるための支柱部２３Ｄａの基部Ｄｓが伸縮自在に形成されている。そのために、この支柱部２３Ｄａの基部Ｄｓは、例えば蛇腹形状に形成されており、これにより図１８・図１９に示す矢印Ｘ１・Ｘ２方向へ所定量だけ伸縮し得る伸縮機構が設けられている。
【０１０４】
その他の構成については上述の第３の実施形態と全く同様である。 
このように構成された本実施形態のカメラの撮像ユニット１５Ｄの作用は、次のとおりである。
【０１０５】
まず、撮像ユニット１５Ｄの圧電素子２２に電圧を印加していない通常状態（図１７の状態）において、当該圧電素子２２に対して例えば正（プラス；＋）電圧を印加すると図１８に示す状態になる。
【０１０６】
この状態においては、防塵フイルター２１が撮像素子２７及び光学ＬＰＦ２５の側に向けて撓むことになる。これにより、防塵フイルター２１の中央部近傍とＣＣＤケース２４の前面側とは極めて接近した状態となる。その一方で、防塵フイルター２１の周縁部近傍には、図１８に示す矢印Ｘ１方向への力量が働く。
【０１０７】
ところが、防塵フイルター２１の周縁部近傍には、押圧部材２０によって当該防塵フイルター２１を撮像素子２７及び光学ＬＰＦ２５の側に向けた弾性力が働いている。押圧部材２０は、支柱部２３Ｄａの先端においてその基端部が、固定ねじ２０ａによってねじ止め固定されている。したがって、防塵フイルター２１の周縁部近傍に働く力量は、押圧部材２０の弾性力に抗して支柱部２３Ｄａを矢印Ｘ１方向へと伸長させることになる。このように、支柱部２３Ｄａが伸長することによって、防塵フイルター２０の振動の減衰が抑えられる。
【０１０８】
一方、撮像ユニット１５Ｄの圧電素子２２に電圧を印加していない通常状態（図１７の状態）において、又は、図１８の状態から圧電素子２２への電圧の印加を解除して図１７の状態に復帰させた後において、当該撮像ユニット１５Ｄの圧電素子２２に対して例えば負電圧を印加すると図１９に示す状態になる。
【０１０９】
この状態においては、防塵フイルター２１が光学ＬＰＦ２５から遠ざかる方向に撓むことになる。これにより、防塵フイルター２１の中央部近傍とＣＣＤケース２４の前面側とは離間した状態となる。その一方で、防塵フイルター２１の周縁部近傍には、図１９に示す矢印Ｘ２方向への力量が働く。
【０１１０】
この場合には、防塵フイルター２１の周縁部近傍に働く力量は、支柱部２３Ｄａを矢印Ｘ２方向へと緊縮させる方向に働くことになる。したがって、支柱部２３Ｄａが緊縮することによって、防塵フイルター２０の振動の減衰が抑えられる。
【０１１１】
以上説明したように、上記第４の実施形態によれば、上述の第１の実施形態と同様の効果を得ることができると同時に、防塵フイルター受け部材２３Ｄに形成され、押圧部材２０を取り付けるために設けられる支柱部２３Ｄａの基部Ｄｓを伸縮自在に構成したので、防塵フイルター２１が圧電素子２２の作用によって振動する際に、その振動の減衰を抑止し、安定した振動を確保することができる。
【０１１２】
上述の各実施形態においては、防塵部材（防塵フイルター）若しくは加振用部材（圧電素子）と封止構造部の本体部（防塵フイルター受け部材）とが接する部位を軟性部材で構成することで、防塵部材若しくは加振用部材を封止構造部の本体部に対して軟性状態に支持するように構成していた。しかし、このような形態とは別の手段を用いて、防塵部材（防塵フイルター）の振動の減衰を抑えることも可能である。次に説明する本発明の第５の実施形態は、その例示である。
【０１１３】
図２０・図２１は、本発明の第５の実施形態を示し、図２０は、本実施形態における撮像ユニットを分解して示す要部分解斜視図である。また、図２１は、当該撮像ユニットにおける封止構造部の本体部（防塵フイルター受け部材）と防塵部材（防塵フイルター）との接触部近傍を拡大して示す斜視図であって、同時にその断面をも示す図である。
【０１１４】
本実施形態の構成は、基本的には上述の第１の実施形態と略同様の構成からなるものであって、封止構造部の本体部である防塵フイルター受け部材（２３Ｅ）の形態と、防塵部材である防塵フイルター２１を防塵フイルター受け部材（２３Ｅ）の側へと押圧する押圧部材（２０Ａ）の形態と、防塵フイルター２１の振動の減衰を抑止する手段である軟性部材（６２）の配置位置が異なる。それ以外の構成については、上述の第１の実施形態と全く同様である。したがって、上述の第１の実施形態と同様の構成については、同じ符号を附してその詳細な説明は省略する。また、カメラ全体の構成についての図示も省略し、上述の図１・図２を参照するものとする。
【０１１５】
本実施形態における封止構造部の本体部を構成する防塵フイルター受け部材２３Ｅは、ＣＣＤケース２４の前面側において、当該ＣＣＤケース２４のねじ孔２４ｂに対してねじ２３ｂによって固定されるようになっている。この場合において、図２１に示すようにＣＣＤケース２４の前面側に形成される周溝２４ｄと、防塵フイルター受け部材２３Ｅの背面側に形成される環状凸部２３ｄとが嵌合することで、ＣＣＤケース２４と防塵フイルター受け部材２３Ｅとの両者は、環状の領域で相互に略気密的に嵌合するようになっている点は、上述の第１の実施形態と同様である。
【０１１６】
防塵フイルター受け部材２３Ｅの略中央部近傍には、円形状又は多角形状からなる開口２３ｆが穿設されている。この開口２３ｆは、撮影光学系１２ａを透過した被写体光束を通過させて、当該光束が後方に配置される撮像素子２７の光電変換面を照射するのに充分な大きさとなるように設定されている。
【０１１７】
この開口２３ｆの周縁部には、前面側に突出する壁部２３ｅが略環状に形成されており、この壁部２３ｅの先端側には、さらに前面側に向けて突出するように受け部２３ｃが形成されている。
【０１１８】
一方、防塵フイルター受け部材２３Ｅの前面側の周縁部近傍には、所定の位置に複数の支柱部２３Ｅｇ（本実施形態では三箇所）が前面側に向けて突設されている。
【０１１９】
支柱部２３Ｅｇは、図２０に示すように防塵フイルター２１を固定保持する押圧部材２０Ａをねじ止め固定するために形成される部位である。当該押圧部材２０Ａは、支柱部２３Ｅｇに形成されるねじ孔に対して固定ねじ２０ａ等の締結手段により固設されるようになっている。これと同時に、当該支柱部２３Ｅｇは、防塵フイルター受け部材２３Ｅに防塵フイルター２１を配設するときの防塵フイルター２１の位置決めを行なう位置規制部材の役目もしている。
【０１２０】
そして、防塵フイルター２１は、防塵フイルター受け部材２３Ｅに対して気密的に接合するように板状ばね等の弾性体からなり円環状に形成された押圧部材２０Ａによって防塵フイルター受け部材２３Ｅの側に向けて押圧されることにより固定保持されるようになっている。
【０１２１】
つまり、押圧部材２０Ａには、上述したように板状ばね等の弾性体によって円環状に形成されており、その周縁部には外方に向けて複数（本実施形態では三箇所）の凸片２０Ａｂが突設されている。この凸片２０Ａｂには固定ねじ２０ａを貫通させる穿孔が穿設されている。
【０１２２】
そして、防塵フイルター受け部材２３Ｅに対して防塵フイルター２１を所定の位置に配置した後、押圧部材２０Ａをねじ止め固定するようになっている。このとき、防塵フイルター２１の周縁部を支柱部２３Ｅｇに沿わせて光軸方向に移動させるようにすることで、当該防塵フイルター２１を容易に防塵フイルター受け部材２３Ｅの所定の位置に配置し得るようになっている。
【０１２３】
そして、防塵フイルター２１（実際には圧電素子２２）の所定の位置（振動時の節となる部位）に受け部２３ｃが当接するようになっている。
【０１２４】
この状態で防塵フイルター２１に対して押圧部材２０Ａを重ねるように配置することで、当該押圧部材２０Ａと防塵フイルター受け部材２３Ｅの受け部２３ｃとの間に防塵フイルター２１が挟持された状態になる。
【０１２５】
さらに、押圧部材２０Ａと防塵フイルター２１との間には、所定の位置に円環形状からなりゴム等によって形成される軟性部材６２が挟持されるようになっている。この軟性部材６２は、防塵フイルター２１の撮影光学系１２ａの側の表面の周縁部近傍の所定の位置（防塵フイルター２１の振動の節となる部位）、若しくは押圧部材２０Ａの平板部の一表面であって防塵フイルター２１に対向する側の面の所定の位置に、例えば接着剤又は両面テープ等の貼着手段によって貼着されている。
【０１２６】
この状態において、押圧部材２０Ａを支柱部２３Ｅｇのねじ孔に固定ねじ２０ａで固設すると、押圧部材２０Ａの円環状の平板部は、軟性部材６２を介して防塵フイルター２１の周縁部の所定の部位に当接し、自身の弾性力により防塵フイルター２１を防塵フイルター受け部材２３Ｅの側に向けて押圧するようになっている。
【０１２７】
このとき、防塵フイルター２１の背面側の周縁部に配設される圧電素子２２の所定の部位が受け部２３ｃに当接することで、防塵フイルター２１及び圧電素子２２の光軸方向における位置が規制されるようになっている。したがってこれにより、防塵フイルター２１は、圧電素子２２を介して防塵フイルター受け部材２３Ｅに対して気密的に接合するように固定保持される。
【０１２８】
このようにして、防塵フイルター２１（防塵部材）を防塵フイルター受け部材２３（封止構造部）に対して押圧固定するために当該防塵フイルター２１の周縁部を押圧する保持構造部が、押圧部材２０Ａ及び防塵フイルター受け部材２３Ｅの支柱部２３Ｅｇ等の構成部材によって形成されている。
【０１２９】
その他の構成については、上述の第１の実施形態と全く同様である。 
以上説明したように本実施形態における撮像素子ユニットにおいては。上述の第１の実施形態と略同様の効果を得ることができる。
【０１３０】
これと同時に、本実施形態においては、軟性部材６２を押圧部材２０Ａと防塵フイルター２１との間の所定の位置に配置することで、防塵フイルタ２１の振動を抑止することが容易にできる。
【図面の簡単な説明】
【０１３１】
【図１】本発明の第１実施形態のカメラの概略的な構成を示す図であって、本カメラの一部を切断してその内部構成を概略的に示す斜視図。
【図２】図１のカメラにおいて主に電気的な構成を概略的に示すブロック構成図。
【図３】図１のカメラにおける撮像ユニットの一部を取り出して示す図であって、当該撮像ユニットを分解して示す要部分解斜視図。
【図４】図１のカメラにおける撮像ユニットを組み立てた状態において一部を切断して示す斜視図。
【図５】図４の切断面に沿う断面図。
【図６】図１のカメラにおける撮像ユニットのうち防塵フイルター及びこれに一体に設けられる圧電素子のみを取り出して示す正面図。
【図７】図６の圧電素子に対して印加した際の防塵フイルター及び圧電素子の状態変化を示し、図６のＡ−Ａ線に沿う断面図。
【図８】図６の圧電素子に対して印加した際の防塵フイルター及び圧電素子の状態変化を示し、図６のＢ−Ｂ線に沿う断面図。
【図９】図１のカメラにおける撮像ユニットのうち防塵フイルター及びこれに一体に設けられる圧電素子のみを取り出して示す正面図。
【図１０】図９の圧電素子に対して印加した際の防塵フイルター及び圧電素子の状態変化の別の例を示し、図９のＡ−Ａ線に沿う断面図。
【図１１】図９の圧電素子に対して印加した際の防塵フイルター及び圧電素子の状態変化の別の例を示し、図９のＢ−Ｂ線に沿う断面図。
【図１２】本発明の第２の実施形態のカメラにおける撮像ユニットの一部（封止構造部の本体部；防塵フイルター受け部材）と防塵フイルター及び圧電素子とが組み立てられた状態であって、かつ一部を切断した状態を示す斜視図。
【図１３】図１２のＰ−Ｐ線に沿う断面図。
【図１４】本発明の第３の実施形態のカメラにおける撮像ユニットを取り出して示す斜視図。
【図１５】図１４のＱ−Ｑ線に沿う断面図。
【図１６】図１４の撮像ユニットにおける封止構造部の本体部（防塵フイルター受け部材）と防塵部材（防塵フイルター）との接触部近傍を拡大して示す斜視図。
【図１７】本発明の第４の実施形態における撮像素子ユニットの断面を示し、撮像ユニットにおける圧電素子に電圧が印加されていない通常状態の断面図。
【図１８】図１７の撮像素子ユニットの断面を示し、撮像ユニットにおける圧電素子に正電圧又は負電圧のいずれかが印加された場合の状態を示す断面図。
【図１９】図１７の撮像素子ユニットの断面を示し、撮像ユニットにおける圧電素子に正圧電素子に負電圧又は正電圧が印加された場合の状態を示す断面図。
【図２０】本発明の第５の実施形態における撮像ユニットを分解して示す要部分解斜視図。
【図２１】図２０の撮像ユニットにおける封止構造部の本体部（防塵フイルター受け部材）と防塵部材（防塵フイルター）との接触部近傍を拡大して示す斜視図。
【符号の説明】
【０１３２】
１……カメラ
１１……カメラ本体部
１１ａ……撮影光学系装着部（撮影レンズ装着部）
１２……レンズ鏡筒
１２ａ……撮影光学系（撮影レンズ）
１３……ファインダー装置
１３ａ……ペンタプリズム
１３ｂ……反射鏡
１３ｃ……接眼レンズ
１４……シャッター部
１５・１５Ｄ……撮像ユニット（撮像素子ユニット）
１６……主回路基板
１６ａ……画像信号処理回路
１６ｂ……ワークメモリ
１７……レリーズボタン
２０・２０Ａ……押圧部材
２１……防塵フイルター（防塵部材；光学部材）
２２……圧電素子（加振用部材；電気機械変換素子）
２３・２３Ａ・２３Ｂ・２３Ｄ・２３Ｅ……防塵フイルター受け部材（封止構造部）
２３ａ・２３Ｄａ・２３Ｅｇ……支柱部
２３ｄ……環状凸部
２４……ＣＣＤケース（撮像素子収納ケース部材；封止構造部）
２４ｄ……周溝
２５……光学的ローパスフイルター（光学ＬＰＦ；光学素子）
２６……ローパスフイルター受け部材
２７……撮像素子（ＣＣＤ）
２８……撮像素子固定板
４８……防塵フイルター駆動部
５１……封止空間
５１ａ……空隙部
５１ｂ……空間部
６１・６２……軟性部材
【図１】
2008017522.tif 000003
【図２】
2008017522.tif 000004
【図３】
2008017522.tif 000005
【図４】
2008017522.tif 000006
【図５】
2008017522.tif 000007
【図６】
2008017522.tif 000008
【図７】
2008017522.tif 000009
【図８】
2008017522.tif 000010
【図９】
2008017522.tif 000011
【図１０】
2008017522.tif 000012
【図１１】
2008017522.tif 000013
【図１２】
2008017522.tif 000014
【図１３】
2008017522.tif 000015
【図１４】
2008017522.tif 000016
【図１５】
2008017522.tif 000017
【図１６】
2008017522.tif 000018
【図１７】
2008017522.tif 000019
【図１８】
2008017522.tif 000020
【図１９】
2008017522.tif 000021
【図２０】
2008017522.tif 000022
【図２１】
2008017522.tif 000023